(57)【特許請求の範囲】
【請求項１】
コミュニティサイトを管理する中央装置、及び、コミュニティサイトの代表者または該コミュニティサイトへのアクセスが予め代表者により許可された構成員が使用する端末装置により構成されるネットワークを用いて、ネットワーク上におけるコミュニティを構築するコミュニティサイト構築方法において、
コミュニティサイトの代表者を特定するための識別情報に対応させて、代表者の個人情報、及びコミュニティサイトのテーマ情報を登録した基本情報データベースと、
コミュニティサイトの構成員を特定するための識別情報に対応させて、各構成員に関する前記代表者と構成員との関係情報、及び、構成員の識別情報またはメールアドレスを含む構成員情報を登録した構成員情報データベースと、
前記テーマ情報毎に関係情報に対応させて、提供する商品の情報を登録した商品データベースとを前記中央装置に設け、
前記中央装置が、前記基本情報データベースに登録したテーマ情報及び前記代表者と構成員との関係情報に基づいて、前記商品データベースから、商品の情報を抽出するステップと、
前記中央装置が、抽出した商品の情報を前記構成員の構成員情報である識別情報またはメールアドレスを参照して中央装置から端末装置へ送信するステップとを備えることを特徴とするコミュニティサイト構築方法。
【請求項２】
コミュニティサイトを管理する中央装置、及び、コミュニティサイトの代表者または該コミュニティサイトへのアクセスが予め代表者により許可された構成員が使用する端末装置により構成されるネットワークを用いて、ネットワーク上におけるコミュニティを構築するコミュニティサイト構築システムにおいて、
前記中央装置は、
コミュニティサイトの代表者を特定するための識別情報に対応させて、代表者の個人情報、及びコミュニティサイトのテーマ情報を登録した基本情報データベースと、
コミュニティサイトの構成員を特定するための識別情報に対応させて、各構成員に関する前記代表者と構成員との関係情報、及び、構成員の識別情報またはメールアドレスを含む構成員情報を登録した構成員情報データベースと、
前記テーマ情報毎に関係情報に対応させて、提供する商品の情報を登録した商品データベースとを備え、
前記中央装置は、
前記基本情報データベースに登録したテーマ情報及び前記代表者と構成員との関係情報に基づいて、前記商品データベースから、商品の情報を抽出する手段と、
抽出した商品の情報を前記構成員の構成員情報である識別情報またはメールアドレスを参照して端末装置へ送信する送信手段とを備えることを特徴とするコミュニティサイト構築システム。
【請求項３】
前記テーマ情報は、代表者自身、代表者に関連する人物、代表者に関連する事象を含む主要テーマ情報、及び該主要テーマに関連する日時情報を含み、
前記商品データベースは、日時情報に対応させて提供する商品の情報を登録してあり、
前記中央装置は、
時計部と、
前記テーマ情報の日時情報及び時計部から出力される日時情報に基づいて、前記商品データベースから、商品の情報を抽出する抽出手段とを更に備えることを特徴とする請求項２に記載のコミュニティサイト構築システム。
【請求項４】
代表者及びアクセスが予め代表者により許可された構成員により構築されるコミュニティサイトを管理する中央装置において、
コミュニティサイトの代表者を特定するための識別情報に対応させて、代表者の個人情報、及びコミュニティサイトのテーマ情報を登録した基本情報データベースと、
コミュニティサイトの構成員を特定するための識別情報に対応させて、各構成員に関する前記代表者と構成員との関係情報、及び、構成員の識別情報またはメールアドレスを含む構成員情報を登録した構成員情報データベースと、
前記テーマ情報毎に関係情報に対応させて、提供する商品の情報を登録した商品データベースと、
前記基本情報データベースに登録したテーマ情報及び前記代表者と構成員との関係情報に基づいて、前記商品データベースから、商品の情報を抽出する手段と、
抽出した商品の情報を前記構成員の構成員情報である識別情報またはメールアドレスを参照して外部へ送信する手段とを備えることを特徴とする中央装置。
【発明の詳細な説明】
【０００１】
【発明の属する技術分野】
本発明は、コミュニティサイトを管理する中央装置、及び、コミュニティサイトの代表者または該コミュニティサイトへのアクセスが予め代表者により許可された構成員の使用する端末装置により構成されるネットワークを用いて、ネットワーク上におけるコミュニティを構築するコミュニティサイト構築方法、コミュニティサイト構築システム、及び中央装置に関する。
【０００２】
【従来の技術】
近年、ネットワーク上でのコミュニティを構築するために、コミュニティの代表者と特定の構成員のみが参加できるコミュニティサイトが多数構築されている。以下にその概要について説明する。例えば、所謂オンラインアルバムにおいては、代表者が結婚式で撮影したデジタル画像等をコミュニティサイトへアップロードし、代表者のオリジナルアルバムを作成する。そして、代表者の家族、結婚式への参加者等、代表者がコミュニティサイトへのアクセスを許可した構成員のみに、コミュニティサイトのＵＲＬ(Uniform Resource Locators) 及びＩＤを送信する。
【０００３】
これにより、ネットワーク上で、第３者がアクセスすることが不可能な私的なコミュニティが形成される。このコミュニティサイトでは、掲示板等の機能を備え、自由にコメントをすることができ、また構成員も自由に映画、音楽等のコンテンツをアップロードでき、これらのコンテンツにコメントを付することができる等、コミュニティ内のコミュニケーションを向上させるための機能が数々提案されている。
【０００４】
かかるコミュニティはネットアルバムだけではなく、大学のサークル、同窓会、赤ちゃんを中心とした家族・親戚間のコミュニティ等存在する。これらコミュニティサイトの場の提供は、企業によって行われることが多く、例えば、赤ちゃんを中心とした家族・親戚間のコミュニティサイトの場合、赤ちゃん用の玩具、衣類、食料品を販売する企業が、他社サイトとの差別化を図るために運営を行っている。また、挙式を取り扱う企業では、新郎・新婦を中心としたコミュニティを構築するために、このようなサービスを行っている。
【０００５】
【発明が解決しようとする課題】
しかしながら、ネットワーク上のコミュニティサイトは、乱立しており収益を確保するのが難しく、多くのコミュニティサイトは広告収入で成り立っているのが現状である。しかも、コミュニティサイトを立ち上げた後の一定期間、例えば赤ちゃん誕生日後の数年、挙式後の数年はある程度のアクセスは期待できるものの、次第にコミュニティサイトに対する興味が減少し、自然消滅するというケースが多いという問題があった。
【０００６】
つまり、代表者及び構成員が飽きることなくコミュニティサイトの運営を継続して行うことができ、またコミュニティサイトの場を提供する企業側の利益をも確保できるコミュニティサイト構築システムが切望されていた。
【０００７】
本発明は斯かる事情に鑑みてなされたものであり、その目的とするところは、コミュニティサイトのテーマに応じた商品情報を企業側からコミュニティの代表者または構成員へ提供することにより、代表者及び構成員が飽きることなく継続してコミュニティを運営でき、また企業側にとっても提供した商品を効果的に販売することで、コミュニティサイトの場を提供することによる対価を確実に回収することが可能なコミュニティサイト構築方法、コミュニティサイト構築システム、及び中央装置を提供することにある。
【０００８】
また、本発明の他の目的は、商品の情報を代表者と構成員との関係情報に基づいて、商品情報を提供することにより、最適な商品情報を提供することが可能なコミュニティサイト構築システムを提供することにある。
【０００９】
さらに、本発明の他の目的は、テーマ情報に日時情報を含め、例えば赤ちゃんの誕生日、クリスマス等のイベントに応じて、最適な商品情報を提供することにより、販売の増加を図ることが可能なコミュニティサイト構築システムを提供することにある。
【００１０】
【課題を解決するための手段】
本発明に係るコミュニティサイト構築方法は、コミュニティサイトを管理する中央装置、及び、コミュニティサイトの代表者または該コミュニティサイトへのアクセスが予め代表者により許可された構成員が使用する端末装置により構成されるネットワークを用いて、ネットワーク上におけるコミュニティを構築するコミュニティサイト構築方法において、コミュニティサイトの代表者を特定するための識別情報に対応させて、代表者の個人情報、及びコミュニティサイトのテーマ情報を登録した基本情報データベースと、コミュニティサイトの構成員を特定するための識別情報に対応させて、各構成員に関する前記代表者と構成員との関係情報、及び、構成員の識別情報またはメールアドレスを含む構成員情報を登録した構成員情報データベースと、前記テーマ情報毎に関係情報に対応させて、提供する商品の情報を登録した商品データベースとを前記中央装置に設け、前記中央装置が、前記基本情報データベースに登録したテーマ情報及び前記代表者と構成員との関係情報に基づいて、前記商品データベースから、商品の情報を抽出するステップと、前記中央装置が、抽出した商品の情報を前記構成員の構成員情報である識別情報またはメールアドレスを参照して中央装置から端末装置へ送信するステップとを備えることを特徴とする。
【００１１】
本発明に係るコミュニティサイト構築システムは、コミュニティサイトを管理する中央装置、及び、コミュニティサイトの代表者または該コミュニティサイトへのアクセスが予め代表者により許可された構成員が使用する端末装置により構成されるネットワークを用いて、ネットワーク上におけるコミュニティを構築するコミュニティサイト構築システムにおいて、前記中央装置は、コミュニティサイトの代表者を特定するための識別情報に対応させて、代表者の個人情報、及びコミュニティサイトのテーマ情報を登録した基本情報データベースと、コミュニティサイトの構成員を特定するための識別情報に対応させて、各構成員に関する前記代表者と構成員との関係情報、及び、構成員の識別情報またはメールアドレスを含む構成員情報を登録した構成員情報データベースと、前記テーマ情報毎に関係情報に対応させて、提供する商品の情報を登録した商品データベースとを備え、前記中央装置は、前記基本情報データベースに登録したテーマ情報及び前記代表者と構成員との関係情報に基づいて、前記商品データベースから、商品の情報を抽出する手段と、抽出した商品の情報を前記構成員の構成員情報である識別情報またはメールアドレスを参照して端末装置へ送信する送信手段とを備えることを特徴とする。
【００１３】
本発明に係るコミュニティサイト構築システムは、前記テーマ情報は、代表者自身、代表者に関連する人物、代表者に関連する事象を含む主要テーマ情報、及び該主要テーマに関連する日時情報を含み、前記商品データベースは、日時情報に対応させて提供する商品の情報を登録してあり、前記中央装置は、時計部と、前記テーマ情報の日時情報及び時計部から出力される日時情報に基づいて、前記商品データベースから、商品の情報を抽出する抽出手段とを更に備えることを特徴とする。
【００１４】
本発明に係る中央装置は、代表者及びアクセスが予め代表者により許可された構成員により構築されるコミュニティサイトを管理する中央装置において、コミュニティサイトの代表者を特定するための識別情報に対応させて、代表者の個人情報、及びコミュニティサイトのテーマ情報を登録した基本情報データベースと、コミュニティサイトの構成員を特定するための識別情報に対応させて、各構成員に関する前記代表者と構成員との関係情報、及び、構成員の識別情報またはメールアドレスを含む構成員情報を登録した構成員情報データベースと、前記テーマ情報毎に関係情報に対応させて、提供する商品の情報を登録した商品データベースと、前記基本情報データベースに登録したテーマ情報及び前記代表者と構成員との関係情報に基づいて、前記商品データベースから、商品の情報を抽出する手段と、抽出した商品の情報を前記構成員の構成員情報である識別情報またはメールアドレスを参照して外部へ送信する手段とを備えることを特徴とする。
【００１５】
本発明にあっては、コミュニティサイトの代表者を特定するための識別情報に対応させて、代表者の個人情報、及びコミュニティサイトのテーマ情報を基本情報データベースに登録する。テーマ情報としては、例えば代表者の赤ちゃん、代表者の結婚、同窓会等のコミュニティの主要なテーマを示す情報の他、赤ちゃんの生年月日、結婚記念日、卒業日等の日時情報、赤ちゃんの名前、結婚式の場所、卒業時の先生の名前等、の主要テーマに関連する詳細な情報が登録される。また、コミュニティサイトの構成員を特定するための識別情報に対応させて、各構成員に関する構成員情報を構成員情報データベースに登録する。
【００１６】
企業がコミュニティサイトに提供する商品の情報は、商品データベースに登録されており、各商品の情報は、テーマ情報に対応づけて登録されている。例えば、主要なテーマが代表者の赤ちゃんである場合は、赤ちゃん用の食料品、衣服等の商品情報が登録されている。中央装置は、基本情報データベースに登録したテーマ情報に基づいて、前記商品データベースから、最適な商品の情報を抽出する。そして、抽出した商品の情報を中央装置から端末装置へ送信するようにしたので、コミュニティの代表者、及び構成員は飽きることなくコミュニティサイトを継続して運営でき、またコミュニティに適した商品の情報を享受することが可能となる。また企業にとっては商品の購入が促進され、コミュニティサイトの場を提供したことに伴う対価を確実に回収することが可能となる。
【００１７】
本発明にあっては、個人情報または構成員情報として、代表者と構成員との関係情報を含ませる。例えば、両親、親戚、友人等の関係情報を登録しておく。そして、代表者と構成員の関係情報を参照して、抽出した商品の情報を端末装置へ送信する。例えば、代表者の赤ちゃんに商品をプレゼントする場合、代表者の両親と友人とでは購入する商品の価格帯及び送る商品の種類も一般的に相違する。このことから本発明では、代表者と構成員との関係情報を基に、最適な商品情報を、最適な構成員または代表者へ提供することにより、さらにコミュニティが活発化し、また商品を提供する企業の売上を増加させることが可能となる。
【００１８】
本発明にあっては、テーマ情報として、代表者自身、代表者に関連する人物、代表者に関連する事象を含む主要テーマ情報、及びこれらの主要テーマに関連する日時情報を登録する。例えば、代表者の関連する人としては、代表者の赤ちゃんであり、これを主要テーマ情報とする場合、日時情報として生年月日を登録する。また、代表者に関連する事象が結婚式であり、結婚式が主要テーマ情報である場合、日時情報として挙式日を登録しておく。一方、商品データベースには、テーマ情報として日時情報が登録してあり、この日時情報に対応させて提供する商品の情報も登録してある。
【００１９】
例えば、生年月日からの経過日に応じて商品情報が登録されている。生年月日から１２０日目ではお食い初めの食器、１年目では誕生１年目のプレゼント商品、７年目ではランドセル、学習机が登録されている。この他、クリスマス、子供の日、雛祭り等のイベントの日時情報にも対応させて、商品を登録してある。中央装置は、テーマ情報の日時情報（生年月日）及び時計部から出力される日時情報に基づいて、経過日及びイベント日を算出し、これに対応する商品の情報を商品データベースから抽出する。そして、タイムリーに商品の情報をメール等で代表者または構成員に提供することとしたので、コミュニティの存在が希薄になった頃にこれらの商品情報が提供されるため、再度コミュニティに参加する契機となる。また、企業にとっては、長期間に亘って代表者及び構成員を吸引し、商品の売上を維持することが可能となる。
【００２０】
【発明の実施の形態】
以下本発明を実施の形態を示す図面に基づいて詳述する。
実施の形態１
図１は本発明に係るコミュニティサイト構築システムの概要を示す説明図である。図において３はＷＷＷ(World Wide Web)サーバコンピュータ（以下、サーバコンピュータという）であり、コミュニティサイトのＨＴＭＬ(Hypertext Markup Language) ファイルが格納されている。サーバコンピュータ３にはインターネット等のネットワークＮを介して、パーソナルコンピュータ、携帯電話、ＰＤＡ(Personal Digital Assistant)等の端末装置２，２，２…が接続されている。
【００２１】
コミュニティの代表者及び構成員は端末装置２のブラウザにより、サーバコンピュータ３に格納されたＨＴＭＬファイルをダウンロードし、また画像データ、または掲示板に書き込むテキストデータ等をアップロードする。サーバコンピュータ３にはさらに、本発明の中央装置１が接続されている。中央装置１は、サーバコンピュータ３のコミュニティサイトを管理すると共に、適宜のタイミングで商品情報等を端末装置２へ送信する。なお、本実施の形態においてはネットワークＮをインターネットとして説明するが、これに限らず、ＬＡＮ(Local Area Network)等の所定空間内でのネットワークであっても良い。さらに、コミュニティサイトが格納されたサーバコンピュータ３とこれを管理する中央装置１とはネットワークＮにより接続しているが、サーバコンピュータ３の機能を中央装置１に組み込み、中央装置１をＷＷＷサーバコンピュータとして機能させるようにしても良い。
【００２２】
続いて、コミュニティサイトの詳細について説明する。コミュニティサイトは、これを創設する代表者、及び、代表者により参加が許可された構成員により構成されている。コミュニティサイトにアクセスする場合、予め付与されたＩＤ及びパスワード等が必要であり、アクセスが許可された場合のみ、コミュニティサイトの閲覧、掲示板への書き込み、画像データのアップロードを実行することができる。このようなコミュニティとしては、代表者の赤ちゃん、同窓会、特定の趣味、スポーツ、結婚式等である。以下では、コミュニティを代表者の赤ちゃんに適用した場合について説明する。
【００２３】
図２はコミュニティサイトのイメージを示す説明図である。代表者または構成員の端末装置２からサーバコンピュータ３へアクセスした場合、図２に示すページがブラウザに表示される。リンクＬ１で示す画像アップロードをクリックした場合、アップロードすべきファイルを入力する画面がブラウザに表示される（図示せず）。ここで、赤ちゃんを撮影した画像データ及び各画像に対するコメントを記したテキストデータを送信することにより、フレームＦ１、Ｆ２で示す画像及びコメントがアップロードされる。なお、アップロードが可能なデータは画像ファイル及びテキストデータの他、動画ファイル、音声ファイル等のデータもアップロードが可能である。
【００２４】
リンクＬ２で示す掲示板をクリックした場合、テキストデータの記入フォームが表示され（図示せず）、記入されたテキストデータはフレームＦ３で示す掲示板にアップロードされる。これにより、代表者及び構成員はネットワーク上でのコミュニティを構築する。
【００２５】
図３は代表者情報を登録する際のイメージを示す説明図、図４はコミュニティサイトのテーマ情報を入力する際のイメージを示す説明図である。図５は構成員情報を登録する際のイメージを示す説明図である。図３乃至図５を用いて代表者情報、テーマ情報及び構成員情報を登録する際の手順について説明する。代表者がコミュニティサイトを構築する場合、図３に示す代表者登録フォーマットがサーバコンピュータ３から送信される。代表者は氏名、メールアドレス、ＩＤ、パスワード等の識別情報を入力する。これらの情報は、中央装置１へ送信され図６に示す基本情報データベース（以下、基本情報ＤＢという）１５１に記憶される。
【００２６】
さらに、代表者はコミュニティサイトのテーマ情報として、主要テーマ情報を入力する。主要テーマ情報は代表者自身、代表者に関連する人物、代表者に関連する事象等であり、コミュニティサイトで構築したいコミュニティのテーマを特定する。具体的には、代表者自身をテーマとするコミュニティ、代表者の赤ちゃんをテーマとするコミュニティ、代表者及びその友人が所属していた大学の同窓会をテーマとするコミュニティ、旅行をテーマとするコミュニティ等を選択する。その他コミュニティ名を入力する。
【００２７】
ここで、代表者が代表者の赤ちゃんを主要テーマ情報として入力した場合、これに対応するフォーマットが図４の如くダウンロードされる。なお、これらのフォーマットは主要テーマ情報に応じて複数のテンプレートが用意されている。代表者はテーマ情報として、赤ちゃんの名前の他、日時情報を入力する。主要テーマが赤ちゃんである場合は、赤ちゃんの生年月日を入力する。また、主要テーマが結婚式である場合は、日時情報は挙式日であり、主要テーマが同窓会であれば、日時情報は卒業日となる。
【００２８】
さらに、代表者はコミュニティサイトへの参加を許可する構成員の氏名、メールアドレス、及び代表者と構成員との関係を入力する。なお、本実施の形態においては代表者と構成員との関係を入力するようにしたが、代表者に関連する人物（例えば代表者の赤ちゃん）と構成員との関係を入力させるようにしても良い。入力されたテーマ情報は、構成員情報と共に基本情報ＤＢ１５１に登録され、さらに中央装置１は送信された構成員のメールアドレス先に、コミュニティサイトへの参加を促すフォーマットを送信する。
【００２９】
図５に示すように、構成員情報を入力するためのフォームが表示され、構成員は端末装置２からＩＤ、パスワード等の識別情報、趣味等の構成員情報を入力する。入力された構成員情報は中央装置１へ送信され、中央装置１の構成員情報データベース（以下、構成員情報ＤＢという。図６参照）１５２に登録される。
【００３０】
図６は中央装置１のハードウェア構成を示すブロック図である。図に示すように、ＣＰＵ(Central Processing Unit) １１には、バス１７を介してＲＡＭ(Random Access Memory)１２、キーボード、マウス等の操作部１３，液晶ディスプレィ等の表示部１４，ハードディスク等の記憶部１５、時計部１８，及びＬＡＮ接続ボード等の通信部１６が接続されている。また、ＲＡＭ１２には表示部１４等を制御するための制御プログラム１２Ｐが格納されている。
【００３１】
記憶部１５には、端末装置２から送信された代表者の個人情報、及びテーマ情報を登録した基本情報ＤＢ１５１，同じく端末装置２から送信された構成員情報を登録した構成員情報ＤＢ１５２が格納されている。さらに、代表者及び構成員に提供する商品の情報を登録した商品ＤＢ１５３が格納されている。以下に各データベースのレコードレイアウトについて説明する。
【００３２】
図７は基本情報ＤＢ１５１のレコードレイアウトを示す説明図である。基本情報ＤＢ１５１は代表者の端末装置２から送信された代表者情報及びテーマ情報が登録されている。代表者を特定するための識別情報であるＩＤ及びパスワードに対応させて、代表者氏名、メールアドレス等の個人情報、並びに、主要テーマ情報及び日時情報等のテーマ情報が登録されている。
【００３３】
図８は構成員情報ＤＢ１５２のレコードレイアウトを示す説明図である。図に示すように各コミュニティサイトの代表者の代表者ＩＤ毎に分類して、そのコミュニティサイトに属する構成員の情報が登録されている。構成員情報は、構成員を特定するためのＩＤ、パスワード等の識別情報に対応させて、氏名、メールアドレス、及び代表者との関係を示す関係情報が登録されている。
【００３４】
図９は商品ＤＢ１５３のレコードレイアウトを示す説明図である。商品ＤＢ１５３はテーマ情報毎に代表者及び構成員に提供する商品の情報が登録されている。なお、これらの情報については操作部１３から、適宜の情報を入力するようにすればよい。商品情報には日時情報及び関係情報が属性として対応づけられており、コミュニティのテーマに応じてタイムリーに、かつ最適な人に商品の情報を提供することが可能なように構成されている。
【００３５】
例えば、赤ちゃんのコミュニティである場合、日時情報である生年月日から１月後にはお宮参り、１２０日後にはお食い初め、１年後には誕生日、１２月２５日にはクリスマス等、テーマに応じたイベントが発生する。中央装置１は基本情報ＤＢ１５１の日時情報及び時計部１８から出力される日時情報から、経過日を算出し、商品ＤＢ１５３に登録した日時に達した場合には属性として登録されている商品の情報を提供する。なお、商品の情報はこれらのイベントよりも先に提供する方が好ましいので、実際には商品ＤＢ１５３に登録した日時の数週間前に提供する。
【００３６】
さらに商品情報には関係情報が属性として付与されている。例えば、お食い初めの場合、最もお金をかけるであろう、代表者には「お食い初め食器セット（３万円）」の商品情報を提供し、次にお金をかける父、母（赤ちゃんの祖父母）には「お食い初め食材セット（１万円）」を提供する。親戚、友人に至っては、それほど高価な商品をプレゼントすることはないと考えられるので「お食い初め記念シール（３千円）」、「お食い初め用箸（１千円）」の商品情報を提供する。なお、これらの商品情報の具体的なデータ（画像データ、商品の詳細情報）は商品ＤＢ１５３に登録されており、これらの商品情報が代表者、構成員に提供される。
【００３７】
以上の構成において、本発明のコミュニティサイト構築システムの処理手順について説明する。図１０は本発明のコミュニティサイト構築システムの処理手順を示すフローチャートである。まず、代表者の端末装置２に入力された個人情報及びテーマ情報が中央装置１へ送信される（ステップＳ１０１）。送信された個人情報及びテーマ情報は、代表者を特定するための識別情報に対応づけて、基本情報ＤＢ１５１に登録される（ステップＳ１０２）。また、各構成員の端末装置２に入力された構成員情報も中央装置１へ送信される（ステップＳ１０３）。送信された構成員情報は、各構成員を特定するための識別情報に対応づけて構成員情報ＤＢ１５２に登録される（ステップＳ１０４）。
【００３８】
上述した商品の情報は、予めテーマ情報毎に商品ＤＢ１５３に登録される（ステップＳ１０５）。また商品の情報は関係情報及び日時情報の属性が付与されている。これらの情報は、コミュニティサイトを開始する以前及びコミュニティサイトの運営途中で、適宜中央装置１の管理者が操作部１３から入力するようにすればよい。
【００３９】
コミュニティサイトの運営開始後、ＣＰＵ１１は時計部１８に対し日時情報を出力するよう要求する（ステップＳ１０６）。さらにＣＰＵ１１は基本情報ＤＢ１５１に登録した生年月日情報を読み出し（ステップＳ１０７）、時計部１８から出力された日時情報及び読み出した生年月日情報から、経過日を算出する（ステップＳ１０８）。続いて、経過日に予め定められた補正日（本実施例では３０日）を加算した値が、商品ＤＢ１５３に登録した日時情報に一致するか否かを判断する（ステップＳ１０９）。ここで、補正日を加算することとしたのは、イベント発生日の数日前に予め商品の情報を提供しておく必要があるからである。
【００４０】
ステップＳ１０９において、一致しない場合（ステップＳ１０９でＮＯ）、ステップＳ１０６へ移行し、以上の処理を繰り返す。一方、ステップＳ１０９において一致すると判断した場合（ステップＳ１０９でＹＥＳ）、つまり、イベント発生日の３０日前になった場合、ＣＰＵ１１は商品ＤＢ１５３から一致した日時情報を基に商品情報を抽出する（ステップＳ１０１０）。抽出した商品情報は関係情報の属性が付与された状態でＲＡＭ１２に格納される。なお、イベントがクリスマス、子供の日等のように暦から特定できるものについては、登録された日時情報の例えば３０日前に商品情報を抽出して送信するようにすればよい。
【００４１】
ＣＰＵ１１は基本情報ＤＢ１５１及び構成員情報ＤＢ１５２から代表者及び構成員のメールアドレスをそれぞれ取得する（ステップＳ１０１１）。そして、ＲＡＭ１２に格納した商品情報を、関係情報を参照して逐次読み出し、対応するメールアドレス先の端末装置へ商品情報を送信する（ステップＳ１０１２）。
【００４２】
図１１は提供される商品の情報を示す説明図である。図に示すようにイベントの情報及び商品の情報が付与された電子メールが送信される。なお、本実施の形態においては、商品の情報をメールにより配信することとしたが、これに限らず、代表者または構成員の識別情報に対応させて提供する商品の情報をＨＴＭＬとして生成して、サーバコンピュータ３にアップロードしておき、代表者または構成員が識別情報を用いてアクセスした場合に、識別情報に対応するＨＴＭＬファイルを端末装置２へ送信し、端末装置２のブラウザによって表示するようにしても良い。
【００４３】
実施の形態２
実施の形態２はさらに、コミュニティサイトにアップロードされた情報を分析してコミュニティに最適な広告情報を提供する技術に関する。図１２は実施の形態２に係る中央装置１のハードウェア構成を示すブロック図である。図に示すように記憶部１５にはキーワードに対応して広告情報が登録された広告データベース（以下、広告ＤＢという。）１５４が登録されている。
【００４４】
図１３は広告ＤＢ１５４のレコードレイアウトを示す説明図である。図に示すようにキーワードに対応させて、広告情報が登録されている。広告情報は例えば、ブラウザに表示されるバナー広告に関する情報が登録されている。ＣＰＵ１１はサーバコンピュータ３のコミュニティサイトへ、代表者及び構成員の端末装置２から送信され、アップロードされた情報を取得し、広告ＤＢ１５４を参照してキーワードを抽出する。そして、キーワードが抽出された場合は、対応する広告情報の１つを読み出してコミュニティサイトへ登録する。
【００４５】
図１４はブラウザに広告情報が表示されるイメージを示す説明図である。代表者または構成員のブラウザにはキーワードに対応する広告情報が表示される。フレームＦ４には、登録された広告情報であるバナー広告Ｆが表示される。バナー広告Ｆにはハイパーリンクが付与されており、クリックすることによりリンク先のページへジャンプする。
【００４６】
図１５は広告情報を登録する際の処理手順を示すフローチャートである。中央装置１は、サーバコンピュータ３にアップロードされた情報、例えば掲示板に書き込まれた情報を取得する（ステップＳ１５１）。そして中央装置１はアップロードされた情報の中から、広告ＤＢ１５４に登録されたキーワードに一致するキーワードを抽出する（ステップＳ１５２）。キーワードが一致した場合、該キーワードに対応する広告情報を広告ＤＢ１５４から抽出する（ステップＳ１５３）。抽出された広告情報はサーバコンピュータ３のコミュニティサイトに登録される（ステップＳ１５４）。これにより、代表者または構成員が端末装置２からコミュニティサイトをブラウジングした場合、共通の話題に適した広告情報が表示されるため、コミュニティの参加者に有益な情報を提供することができ、またコミュニティサイトを提供する企業にとっても、さらに効果的に広告情報を提供することが可能となる。
【００４７】
本実施の形態２は以上の如き構成としてあり、その他の構成及び作用は実施の形態１と同様であるので、対応する部分には同一の参照番号を付してその詳細な説明を省略する。
【００４８】
実施の形態３
図１６は実施の形態３に係る中央装置１のハードウェア構成を示すブロック図である。また、実施の形態１に係る中央装置１を実行させるためのコンピュータプログラムは、本実施の形態３のように中央装置１にプレインストールして提供することも、またＣＤ−ＲＯＭ、ＭＯ等の可搬型記録媒体で提供することも可能である。さらに、コンピュータプログラムを回線経由で搬送波として伝搬させて提供することも可能である。以下に、その内容を説明する。
【００４９】
図１６に示す中央装置１に、個人情報及びテーマ情報を登録させ、構成員情報を登録させ、商品情報を登録させ、商品情報を抽出させ、商品情報を送信させるプログラムが記録された記録媒体１ａ（ＣＤ−ＲＯＭ、ＭＯ又はＤＶＤ−ＲＯＭ等）が中央装置１の記憶部１５にインストールされている。かかるプログラムは中央装置１のＲＡＭ１２にロードして実行される。これにより、上述のような本発明の中央装置１として機能する。
【００５０】
本実施の形態３は以上の如き構成としてあり、その他の構成及び作用は実施の形態１及び実施の形態２と同様であるので、対応する部分には同一の参照番号を付してその詳細な説明を省略する。
【００５１】
（付記１）  コミュニティサイトを管理する中央装置、及び、コミュニティサイトの代表者または該コミュニティサイトへのアクセスが予め代表者により許可された構成員が使用する端末装置により構成されるネットワークを用いて、ネットワーク上におけるコミュニティを構築するコミュニティサイト構築方法において、
コミュニティサイトの代表者を特定するための識別情報に対応させて、代表者の個人情報、及びコミュニティサイトのテーマ情報を基本情報データベースに登録するステップと、
コミュニティサイトの構成員を特定するための識別情報に対応させて、各構成員に関する構成員情報を構成員情報データベースに登録するステップと、
前記テーマ情報に対応させて、提供する商品の情報を商品データベースに登録するステップと、
前記基本情報データベースに登録したテーマ情報に基づいて、前記商品データベースから、商品の情報を抽出するステップと、
抽出した商品の情報を中央装置から端末装置へ送信するステップと
を備えることを特徴とするコミュニティサイト構築方法。
（付記２）  コミュニティサイトを管理する中央装置、及び、コミュニティサイトの代表者または該コミュニティサイトへのアクセスが予め代表者により許可された構成員が使用する端末装置により構成されるネットワークを用いて、ネットワーク上におけるコミュニティを構築するコミュニティサイト構築システムにおいて、
コミュニティサイトの代表者を特定するための識別情報に対応させて、代表者の個人情報、及びコミュニティサイトのテーマ情報を登録した基本情報データベースと、
コミュニティサイトの構成員を特定するための識別情報に対応させて、各構成員に関する構成員情報を登録した構成員情報データベースと、
前記テーマ情報に対応させて、提供する商品の情報を登録した商品データベースとを備え、
前記中央装置は、
前記基本情報データベースに登録したテーマ情報に基づいて、前記商品データベースから、商品の情報を抽出する手段と、
抽出した商品の情報を端末装置へ送信する送信手段と
を備えることを特徴とするコミュニティサイト構築システム。
（付記３）  前記構成員情報は、
代表者と構成員との関係情報を含み、
前記送信手段は、
前記関係情報を参照して、前記抽出した商品の情報を端末装置へ送信する
よう構成してあることを特徴とする付記２に記載のコミュニティサイト構築システム。
（付記４）  前記テーマ情報は、代表者自身、代表者に関連する人物、代表者に関連する事象を含む主要テーマ情報、及び該主要テーマに関連する日時情報を含み、
前記商品データベースは、日時情報に対応させて提供する商品の情報を登録してあり、
前記中央装置は、
時計部と、
前記テーマ情報の日時情報及び時計部から出力される日時情報に基づいて、前記商品データベースから、商品の情報を抽出する抽出手段と
を更に備えることを特徴とする付記２または３に記載のコミュニティサイト構築システム。
（付記５）  前記主要テーマに関連する日時情報は、代表者の赤ちゃんの生年月日情報であり、
前記抽出手段は、
前記生年月日情報及び時計部から出力される日時情報から、生年月日からの経過日を算出し、算出した経過日に対応する商品の情報を前記商品データベースから抽出するよう構成してある
ことを特徴とする付記４に記載のコミュニティサイト構築システム。
（付記６）  キーワードに対応させて、広告情報を登録した広告データベースを更に備え、
前記中央装置は、
前記コミュニティサイトにアップロードされた情報の中から、キーワードを抽出する手段と、
抽出したキーワードに対応する広告情報を抽出する手段と、
抽出した広告情報を前記コミュニティサイトへ登録する手段と
を更に備えることを特徴とする付記２乃至５のいずれかに記載のコミュニティサイト構築システム。
（付記７）  代表者及びアクセスが予め代表者により許可された構成員により構築されるコミュニティサイトを管理する中央装置において、
コミュニティサイトの代表者を特定するための識別情報に対応させて、代表者の個人情報、及びコミュニティサイトのテーマ情報を基本情報データベースに登録する手段と、
コミュニティサイトの構成員を特定するための識別情報に対応させて、各構成員に関する構成員情報を構成員情報データベースに登録する手段と、
前記テーマ情報に対応させて、提供する商品の情報を商品データベースに登録する手段と、
前記基本情報データベースに登録したテーマ情報に基づいて、前記商品データベースから、商品の情報を抽出する手段と、
抽出した商品の情報を外部へ送信する手段と
を備えることを特徴とする中央装置。
（付記８）  代表者及びアクセスが予め代表者により許可された構成員により構築されるコミュニティサイトを管理するコンピュータを機能させるためのコンピュータプログラムにおいて、
コンピュータに、コミュニティサイトの代表者を特定するための識別情報に対応させて、代表者の個人情報、及びコミュニティサイトのテーマ情報を基本情報データベースに登録させるステップと、
コンピュータに、コミュニティサイトの構成員を特定するための識別情報に対応させて、各構成員に関する構成員情報を構成員情報データベースに登録させるステップと、
コンピュータに、前記テーマ情報に対応させて、提供する商品の情報を商品データベースに登録させるステップと、
コンピュータに、前記基本情報データベースに登録したテーマ情報に基づいて、前記商品データベースから、商品の情報を抽出させるステップと、
コンピュータに、抽出させた商品の情報を外部へ送信させるステップと
を実行させることを特徴とするコンピュータプログラム。
（付記９）  代表者及びアクセスが予め代表者により許可された構成員により構築されるコミュニティサイトを管理するコンピュータを機能させるためのコンピュータプログラムが記録された記録媒体において、
コンピュータに、コミュニティサイトの代表者を特定するための識別情報に対応させて、代表者の個人情報、及びコミュニティサイトのテーマ情報を基本情報データベースに登録させるステップと、
コンピュータに、コミュニティサイトの構成員を特定するための識別情報に対応させて、各構成員に関する構成員情報を構成員情報データベースに登録させるステップと、
コンピュータに、前記テーマ情報に対応させて、提供する商品の情報を商品データベースに登録させるステップと、
コンピュータに、前記基本情報データベースに登録したテーマ情報に基づいて、前記商品データベースから、商品の情報を抽出させるステップと、
コンピュータに、抽出させた商品の情報を外部へ送信させるステップと
を実行させるコンピュータプログラムが記録されていることを特徴とするコンピュータでの読み取りが可能な記録媒体。
【００５２】
【発明の効果】
以上詳述した如く、本発明にあっては、コミュニティサイトの代表者を特定するための識別情報に対応させて、代表者の個人情報、及びコミュニティサイトのテーマ情報を基本情報データベースに登録する。また、コミュニティサイトの構成員を特定するための識別情報に対応させて、各構成員に関する構成員情報を構成員情報データベースに登録する。
【００５３】
企業がコミュニティサイトに提供する商品の情報は、商品データベースに登録されており、各商品の情報は、テーマ情報に対応づけて登録されている。中央装置は、基本情報データベースに登録したテーマ情報に基づいて、前記商品データベースから、最適な商品の情報を抽出する。そして、抽出した商品の情報を中央装置から端末装置へ送信するようにしたので、コミュニティの代表者、及び構成員は飽きることなくコミュニティサイトを継続して運営でき、またコミュニティに適した商品の情報を享受することが可能となる。また企業にとっては商品の購入が促進され、コミュニティサイトの場を提供したことに伴う対価を確実に回収することが可能となる。
【００５４】
本発明にあっては、代表者と構成員との関係情報を基に、最適な商品情報を、最適な構成員または代表者へ提供するようにしたので、さらにコミュニティが活発化し、また商品を提供する企業の売上を増加させることが可能となる。
【００５５】
本発明にあっては、テーマ情報として、代表者自身、代表者に関連する人物、代表者に関連する事象を含む主要テーマ情報、及びこれらの主要テーマに関連する日時情報を登録する。一方、商品データベースには、テーマ情報として日時情報が登録してあり、この日時情報に対応させて提供する商品の情報も登録してある。中央装置は、テーマ情報の日時情報（生年月日）及び時計部から出力される日時情報に基づいて、経過日及びイベント日を算出し、これに対応する商品の情報を商品データベースから抽出する。そして、タイムリーに商品の情報をメール等で代表者または構成員に提供することとしたので、コミュニティの存在が希薄になった頃にこれらの商品情報が提供されるため、再度コミュニティに参加する契機となる。また、企業にとっては、長期間に亘って代表者及び構成員を吸引し、商品の売上を維持することが可能となる等、本発明は優れた効果を奏し得る。
【図面の簡単な説明】
【図１】本発明に係るコミュニティサイト構築システムの概要を示す説明図である。
【図２】コミュニティサイトのイメージを示す説明図である。
【図３】代表者情報を登録する際のイメージを示す説明図である。
【図４】コミュニティサイトのテーマ情報を入力する際のイメージを示す説明図である。
【図５】構成員情報を登録する際のイメージを示す説明図である。
【図６】中央装置のハードウェア構成を示すブロック図である。
【図７】基本情報ＤＢのレコードレイアウトを示す説明図である。
【図８】構成員情報ＤＢのレコードレイアウトを示す説明図である。
【図９】商品ＤＢのレコードレイアウトを示す説明図である。
【図１０】本発明のコミュニティサイト構築システムの処理手順を示すフローチャートである。
【図１１】提供される商品の情報を示す説明図である。
【図１２】実施の形態２に係る中央装置のハードウェア構成を示すブロック図である。
【図１３】広告ＤＢのレコードレイアウトを示す説明図である。
【図１４】ブラウザに広告情報が表示されるイメージを示す説明図である。
【図１５】広告情報を登録する際の処理手順を示すフローチャートである。
【図１６】実施の形態３に係る中央装置のハードウェア構成を示すブロック図である。
【符号の説明】
１    中央装置
１ａ  記録媒体
２    端末装置
３    ＷＷＷサーバコンピュータ
Ｎ    ネットワーク
１５  記憶部
１５１  基本情報データベース
１５２  構成員情報データベース
１５３  商品データベース
１５４  広告データベース
１３  操作部
１４  表示部
１８  時計部
【図１】
0005030346.tif 000002
【図２】
0005030346.tif 000003
【図３】
0005030346.tif 000004
【図４】
0005030346.tif 000005
【図５】
0005030346.tif 000006
【図６】
0005030346.tif 000007
【図７】
0005030346.tif 000008
【図８】
0005030346.tif 000009
【図９】
0005030346.tif 000010
【図１０】
0005030346.tif 000011
【図１１】
0005030346.tif 000012
【図１２】
0005030346.tif 000013
【図１３】
0005030346.tif 000014
【図１４】
0005030346.tif 000015
【図１５】
0005030346.tif 000016
【図１６】
0005030346.tif 000017